(57)【要約】【課題】歯ブラシおよび歯磨きチューブの位置が安定しやすいトラベルケースおよびトラベルケースセットを提供する。【解決手段】トラベルケース１０は歯ブラシおよび歯磨きチューブが収容された収容状態、および、歯ブラシおよび歯磨きチューブの出し入れが可能な開放状態を取り得る。トラベルケース１０は歯ブラシおよび歯磨きチューブを積み重ねた積層状態で配置できるように構成された第１ケース部２０と、第１ケース部２０との組み合わせにより収容状態を形成できるように構成された第２ケース部５０と、収容状態において歯磨きチューブの肩および尻の少なくとも一方と第１ケース部２０および第２ケース部５０とが接触するように構成された保持構造９０とを含む。【選択図】図３
2019010521.tif 000002
【特許請求の範囲】
【請求項１】
歯ブラシおよび歯磨きチューブが収容された収容状態、および、前記歯ブラシおよび前記歯磨きチューブの出し入れが可能な開放状態を取り得るトラベルケースであって、
前記歯ブラシおよび前記歯磨きチューブを積み重ねた積層状態で配置できるように構成された第１ケース部と、
前記第１ケース部との組み合わせにより前記収容状態を形成できるように構成された第２ケース部と、
前記収容状態において前記歯磨きチューブの肩および尻の少なくとも一方と前記第１ケース部および前記第２ケース部とが接触するように構成された保持構造とを含む
トラベルケース。
【請求項２】
前記第１ケース部は前記第１ケース部の主要な部分を構成する第１主壁を含み、
前記第２ケース部は前記第２ケース部の主要な部分を構成する第２主壁を含み、
前記第１主壁および前記第２主壁は前記トラベルケースの厚さ方向において間隔を空けて対向することにより前記歯ブラシおよび前記歯磨きチューブを収容する収容空間を形成できるように構成され、
前記保持構造を構成する要素は少なくとも前記第１主壁および前記第２主壁を含む
請求項１に記載のトラベルケース。
【請求項３】
前記収容状態において前記歯磨きチューブの胴または尻を前記第２ケース部側に押すように前記第１主壁から突出した第１胴規制部をさらに備え、
前記保持構造を構成する要素は前記第１胴規制部をさらに含む
請求項２に記載のトラベルケース。
【請求項４】
前記収容状態において前記歯磨きチューブの胴または尻を前記第１ケース部側に押すように前記第２主壁から突出した第２胴規制部をさらに備え、
前記保持構造を構成する要素は前記第２胴規制部をさらに含む
請求項２または３に記載のトラベルケース。
【請求項５】
前記収容状態において前記トラベルケースの長手方向における前記歯磨きチューブの移動を規制できるように構成された長手規制部をさらに備える
請求項１〜４のいずれか一項に記載のトラベルケース。
【請求項６】
前記長手規制部は前記第１主壁および前記第２主壁の少なくとも一方に設けられている
請求項２を引用する請求項５に記載のトラベルケース。
【請求項７】
前記第１主壁および前記第２主壁は前記トラベルケースの短手方向においてそれぞれの外周部から中間部に向かうにつれて前記収容空間側とは反対側に突き出るように湾曲している
請求項２を引用する請求項３〜６のいずれか一項に記載のトラベルケース。
【請求項８】
前記第１ケース部は前記収容状態の前記歯磨きチューブを取り囲むように前記第１主壁の外周部に設けられた第１外周壁をさらに含み、
前記第１外周壁は前記収容状態の前記歯磨きチューブの側部に設けられ、前記第１ケース部の長手方向に沿うように構成された一対の第１長手壁を含み、
前記第１胴規制部は前記第１長手壁との間で前記第１ケース部の短手方向における前記歯ブラシの移動を規制できるように構成される
請求項３を引用する請求項４〜７のいずれか一項に記載のトラベルケース。
【請求項９】
請求項１〜８のいずれか一項に記載の前記トラベルケースと、
前記トラベルケースに収容された前記歯ブラシおよび前記歯磨きチューブとを備える
トラベルケースセット。
【発明の詳細な説明】
【技術分野】
【０００１】
本発明はトラベルケースおよびこれを備えるトラベルケースセットに関する。
【背景技術】
【０００２】
トラベルケースセットは歯ブラシおよび歯磨きチューブを持ち運ぶために利用される。特許文献１は従来のトラベルケースセットの一例を開示している。このトラベルケースセットは樹脂製のケース本体内に歯ブラシおよび歯磨きチューブを収容する。
【先行技術文献】
【特許文献】
【０００３】
【特許文献１】実開平６−６１７６９号公報
【発明の概要】
【発明が解決しようとする課題】
【０００４】
従来のトラベルケースセットによれば、トラベルケースセットの持ち運び時にケース本体内における歯ブラシおよび歯磨きチューブの位置が安定しないおそれがある。
【課題を解決するための手段】
【０００５】
(１)本発明に関するトラベルケースは、歯ブラシおよび歯磨きチューブが収容された収容状態、および、前記歯ブラシおよび前記歯磨きチューブの出し入れが可能な開放状態を取り得るトラベルケースであって、前記歯ブラシおよび前記歯磨きチューブを積み重ねた積層状態で配置できるように構成された第１ケース部と、前記第１ケース部との組み合わせにより前記収容状態を形成できるように構成された第２ケース部と、前記収容状態において前記歯磨きチューブの肩および尻の少なくとも一方と前記第１ケース部および前記第２ケース部とが接触するように構成された保持構造とを含む。
トラベルケースの収容状態では、歯磨きチューブが保持構造により挟み込まれるため、各ケース部と歯磨きチューブとの接触面に生じる摩擦力によりトラベルケース内における歯磨きチューブの位置が安定する。また、歯ブラシおよび歯磨きチューブが積層状態でトラベルケース内に配置されている場合、歯ブラシが各ケース部の一方と歯磨きチューブとの間に配置される。上記トラベルケースによれば、上述のとおり歯磨きチューブの位置が安定するため、各ケース部の一方と歯磨きチューブとの間に配置された歯ブラシは、各ケース部の一方と歯磨きチューブとに挟まれることによりトラベルケースに対する位置が安定する。または、歯ブラシがトラベルケースに対して移動できるような状態で各ケース部の一方と歯磨きチューブとの間に配置された場合でも、移動範囲が各ケース部の一方および歯磨きチューブにより制限され、トラベルケースに対する位置が安定する。
【０００６】
(２)好ましい例では(１)に記載のトラベルケースにおいて、前記第１ケース部は前記第１ケース部の主要な部分を構成する第１主壁を含み、前記第２ケース部は前記第２ケース部の主要な部分を構成する第２主壁を含み、前記第１主壁および前記第２主壁は前記トラベルケースの厚さ方向において間隔を空けて対向することにより前記歯ブラシおよび前記歯磨きチューブを収容する収容空間を形成できるように構成され、前記保持構造を構成する要素は少なくとも前記第１主壁および前記第２主壁を含む。
このため、保持構造の構成を簡素化できる。
【０００７】
(３)好ましい例では(２)に記載のトラベルケースにおいて、前記収容状態において前記歯磨きチューブの胴または尻を前記第２ケース部側に押すように前記第１主壁から突出した第１胴規制部をさらに備え、前記保持構造を構成する要素は前記第１胴規制部をさらに含む。
このため、歯ブラシおよび歯磨きチューブの位置が一層安定する。
【０００８】
(４)好ましい例では(２)または(３)に記載のトラベルケースにおいて、前記収容状態において前記歯磨きチューブの胴または尻を前記第１ケース部側に押すように前記第２主壁から突出した第２胴規制部をさらに備え、前記保持構造を構成する要素は前記第２胴規制部をさらに含む。
このため、歯ブラシおよび歯磨きチューブの位置が一層安定する。
【０００９】
(５)好ましい例では(１)〜(４)のいずれか一項に記載のトラベルケースにおいて、前記収容状態において前記トラベルケースの長手方向における前記歯磨きチューブの移動を規制できるように構成された長手規制部をさらに備える。
トラベルケースの長手方向における歯磨きチューブの移動が規制されるため、歯磨きチューブの位置が一層安定する。
【００１０】
(６)好ましい例では(１)を引用する上記に記載のトラベルケースにおいて、前記長手規制部は前記第１主壁および前記第２主壁の少なくとも一方に設けられている。
このため、長手規制部の構成を簡素化できる。
【００１１】
(７)好ましい例では(２)を引用する(３)〜(６)のいずれか一項に記載のトラベルケースにおいて、前記第１主壁および前記第２主壁は前記トラベルケースの短手方向においてそれぞれの外周部から中間部に向かうにつれて前記収容空間側とは反対側に突き出るように湾曲している。
このため、各主壁の一方に歯ブラシまたは歯磨きチューブが載せられた場合、各主壁の湾曲した形状により湾曲した部分の底に案内され、各ケース部に対する歯ブラシおよび歯磨きチューブの位置がトラベルケースの使用毎にばらつきにくい。
【００１２】
(８)好ましい例では(３)を引用する(４)〜(７)のいずれか一項に記載のトラベルケースにおいて、前記第１ケース部は前記収容状態の前記歯磨きチューブを取り囲むように前記第１主壁の外周部に設けられた第１外周壁をさらに含み、前記第１外周壁は前記収容状態の前記歯磨きチューブの側部に設けられ、前記第１ケース部の長手方向に沿うように構成された一対の第１長手壁を含み、前記第１胴規制部は前記第１長手壁との間で前記第１ケース部の短手方向における前記歯ブラシの移動を規制できるように構成される。
このため、歯ブラシおよび歯磨きチューブの位置が一層安定する。
【００１３】
(９)本発明に関するトラベルケースセットは、上記(１)〜(８)のいずれか一項に記載の前記トラベルケースと、前記トラベルケースに収容された前記歯ブラシおよび前記歯磨きチューブとを備える。
このため、上記(１)のトラベルケースにより得られる効果と同様の効果が得られる。
【発明の効果】
【００１４】
本発明に関するトラベルケースおよびとラベルケースセットによれば、トラベルケース内における歯ブラシおよび歯磨きチューブの位置が安定する。
【図面の簡単な説明】
【００１５】
【図１】実施形態のトラベルケースセットの斜視図。
【図２】図１のトラベルケースが開放された状態を示す斜視図。
【図３】図２のトラベルケースから歯ブラシ等が取り出された状態を示す斜視図。
【図４】図３のトラベルケースの分解斜視図。
【図５】図１の歯ブラシの正面図。
【図６】図５のＤ６−Ｄ６線に沿う断面図。
【図７】図１の歯磨きチューブの正面図。
【図８】図３の第１ケース部に歯ブラシが載せられた状態を示す斜視図。
【図９】図１のＤ９−Ｄ９線に沿う断面図。
【図１０】図１のＤ１０−Ｄ１０線に沿う断面図。
【図１１】トラベルケースの第１変形例の断面図。
【図１２】トラベルケースの第２変形例の断面図。
【図１３】トラベルケースの第３変形例の断面図。
【発明を実施するための形態】
【００１６】
(実施形態)
図１に示されるトラベルケースセット１は、鞄等に収容した状態で持ち運ぶことに適した構造を備える。トラベルケースセット１を構成する主な要素はトラベルケース１０、歯ブラシ１００、および、歯磨きチューブ２００である。トラベルケース１０は歯ブラシ１００および歯磨きチューブ２００を収容する。好ましい例では、トラベルケース１０が歯ブラシ１００および歯磨きチューブ２００を収容した収容状態では、トラベルケースセット１の持ち運び時に歯ブラシ１００および歯磨きチューブ２００がトラベルケース１０の外部の物体に接触しないように歯ブラシ１００および歯磨きチューブ２００がトラベルケース１０に収容される。一例では、トラベルケース１０の全体的な形状は歯ブラシ１００および歯磨きチューブ２００の形状に合わせられた細長い形状である。以下の説明では、トラベルケース１０の正面視においてトラベルケース１０の長手方向と直交する方向をトラベルケース１０の短手方向と称し、トラベルケース１０の長手方向および短手方向と直交する方向をトラベルケース１０の厚さ方向と称する。
【００１７】
トラベルケース１０を構成する主な要素は第１ケース部２０および第２ケース部５０である。各ケース部２０、５０はそれぞれ歯ブラシ１００および歯磨きチューブ２００を配置できるように構成されている。第１ケース部２０の開口２０Ａ(図２参照)と第２ケース部５０の開口５０Ａ(図２参照)とが閉じるように各ケース部２０、５０が結合されることにより収容状態のトラベルケース１０が構成される。収容状態のトラベルケース１０では、各ケース部２０、５０に囲まれた収容空間１０Ａが形成される。
【００１８】
トラベルケース１０を構成する材料は任意に選択できる。好ましい例では、トラベルケース１０は弱い力では変形せず、容易に持ち運びできる軽量な材料により構成される。その一例は合成樹脂である。合成樹脂の一例はポリプロピレンおよびポリエチレンである。弱い力とは、トラベルケースセット１の通常の使用において想定されるトラベルケース１０にかかる力であり、例えばトラベルケースセット１の持ち運び時にトラベルケース１０にかかる力である。各ケース部２０、５０を構成する材料は個別に選択できる。図示される例では、第１ケース部２０および第２ケース部５０が同じ材料により構成された樹脂成型品である。別の例では、各ケース部２０、５０は異なる材料により構成される。
【００１９】
第１ケース部２０の構造および第２ケース部５０の構造は個別に選択できる。一例では、図３に示されるように第１ケース部２０および第２ケース部５０はおおよそ同じ構造を備えている。第１ケース部２０は第１主壁３０、第１胴規制部３１、第１長手規制部３２、および、第１外周壁４０に区分できる。第２ケース部５０は第２主壁６０、第２胴規制部６１、第２長手規制部６２、および、第２外周壁７０に区分できる。第２主壁６０の構造は第１主壁３０の構造とおおよそ同様である。第２胴規制部６１の構造は第１胴規制部３１の構造とおおよそ同様である。第２長手規制部６２の構造は第１長手規制部３２の構造とおおよそ同様である。第２外周壁７０の構造は第１外周壁４０の構造とおおよそ同様である。以下では、各ケース部２０、５０を代表して主に第１ケース部２０の構造について説明し、必要に応じて第２ケース部５０の構造にも触れる。
【００２０】
第１主壁３０は第１ケース部２０の主要な部分を構成している。一例では、第１主壁３０の形状はトラベルケース１０の短手方向において外周部から中間部に向かうにつれて収容空間１０Ａ側とは反対側に突き出るように湾曲している。第１主壁３０には通気口３０Ｂが形成されている。通気口３０Ｂは歯ブラシ１００および歯磨きチューブ２００に付着している水分がトラベルケース１０の外部に移動するように第１主壁３０を貫通する穴である。第１主壁３０に設けられる通気口３０Ｂの数は１または複数である。図示される例では、第１主壁３０の広い範囲に複数の通気口３０Ｂが形成されている。
【００２１】
第１胴規制部３１はトラベルケース１０の収容状態において歯磨きチューブ２００(図２参照)を第２ケース部５０側に押すように第１主壁３０の内周面３０Ｄから突出している。第１胴規制部３１の形状は任意に選択できる。その一例は円柱または多角柱である。好ましい例では、第１胴規制部３１の先端は歯磨きチューブ２００にソフトに接触する曲面である。第１主壁３０に設けられる第１胴規制部３１の数は１または複数である。第１主壁３０における第１胴規制部３１の位置は任意に選択できる。好ましい例では次のように第１胴規制部３１の位置が設定される。トラベルケース１０の短手方向に関する第１主壁３０上の第１胴規制部３１の位置は短手方向の中心である。トラベルケース１０の長手方向に関する第１主壁３０上の第１胴規制部３１の位置は、トラベルケース１０の収容状態において歯磨きチューブ２００の胴２２０または尻２３０(図７参照)を第２ケース部５０側に押すことができる位置である。具体的には、トラベルケース１０の長手方向の中心と一方の第１短手壁４２との間の位置である。なお、第１胴規制部３１が歯磨きチューブ２００に接触する部位は、歯磨きチューブ２００がトラベルケース１０に収容されたときの位置に応じて異なる。
【００２２】
第１長手規制部３２はトラベルケース１０の収容状態においてトラベルケース１０の長手方向における歯磨きチューブ２００の移動を規制できるように構成されている。第１長手規制部３２は第１主壁３０の内周面３０Ｄから第２ケース部５０に向けて突出している。第１長手規制部３２の形状は任意に選択できる。その一例は円柱または多角柱である。好ましい例では、第１長手規制部３２の先端は歯磨きチューブ２００にソフトに接触する曲面である。第１主壁３０に設けられる第１長手規制部３２の数は１または複数である。第１主壁３０における第１長手規制部３２の位置は任意に選択できる。好ましい例では次のように第１長手規制部３２の位置が設定される。トラベルケース１０の短手方向に関する第１主壁３０上の第１長手規制部３２の位置は短手方向の中心である。トラベルケース１０の長手方向に関する第１主壁３０上の第１長手規制部３２の位置は、トラベルケース１０の収容状態において歯磨きチューブ２００のキャップ２４０(図７参照)と接触できる位置である。具体的には、トラベルケース１０の長手方向の中心と他方の第１短手壁４２との間の位置である。
【００２３】
第１外周壁４０は収容状態の歯ブラシ１００および歯磨きチューブ２００を取り囲むように第１主壁３０の外周部に設けられている。第１外周壁４０は一対の第１長手壁４１および一対の第１短手壁４２に区分される。第１長手壁４１はトラベルケース１０の長手方向に延びる壁である。一対の第１長手壁４１はトラベルケース１０の短手方向において歯磨きチューブ２００を挟むように設けられている。第１長手壁４１および第１胴規制部３１は歯ブラシ１００を配置できるようにトラベルケース１０の短手方向において離れている。このスペースに歯ブラシ１００が配置された場合、トラベルケース１０の短手方向における歯ブラシ１００の移動が第１長手壁４１および第１胴規制部３１により規制される。第１短手壁４２はトラベルケース１０の短手方向に延びる壁である。一対の第１短手壁４２は歯ブラシ１００をトラベルケース１０の長手方向において挟むように設けられている。
【００２４】
第１長手壁４１には第１長手壁４１を貫通する通気口４１Ａが設けられている。第１長手壁４１に設けられる通気口４１Ａの数は１または複数である。通気口４１Ａの開口面積は任意に選択できる。一例では、通気口４１Ａの開口面積は第１主壁３０の通気口３０Ｂの開口面積よりも広い。第１長手壁４１における通気口４１Ａの位置は任意である。好ましい例では、トラベルケース１０の収容状態において、歯ブラシ１００のヘッド１２０およびブラシ１３０(図５参照)と面する第１長手壁４１の部分に通気口４１Ａが設けられる。短手壁４２には短手壁４２を貫通する通気口４２Ａが設けられている。短手壁４２に設けられる通気口４２Ａの数は１または複数である。通気口４２Ａの開口面積は任意に選択できる。一例では、通気口４２Ａの開口面積は第１主壁３０の通気口３０Ｂの開口面積よりも広い。第１短手壁４２における通気口４２Ａの位置は任意である。好ましい例では、トラベルケース１０の収容状態において歯ブラシ１００のヘッド１２０およびブラシ１３０(図５参照)と面する第１短手壁４２の部分に通気口４２Ａが設けられる。
【００２５】
第２外周壁７０は一対の第２長手壁７１および一対の第２短手壁７２に区分される。一対の第２長手壁７１の構造は一対の第１長手壁４１の構造とおおよそ同様である。一対の第２短手壁７２の構造は一対の第１短手壁４２の構造とおおよそ同様である。第２長手壁７１には通気口７１Ａが設けられている。通気口７１Ａの構造は通気口４１Ａの構造とおおよそ同様である。第２短手壁７２には通気口７２Ａが設けられている。通気口７２Ａの構造は通気口４２Ａの構造とおおよそ同様である。
【００２６】
トラベルケース１０には、トラベルケース１０内に収容された歯ブラシ１００および歯磨きチューブ２００の位置が安定するように歯ブラシ１００および歯磨きチューブ２００を保持する保持構造９０が設けられている。一例では、保持構造９０は第１主壁３０、第２主壁６０、第１胴規制部３１、および、第２胴規制部６１により構成されている。各ケース部２０、５０の一部として保持構造９０が構成されているため、保持構造９０の構成を簡素化できる。
【００２７】
図４に示されるように、トラベルケース１０は第１ケース部２０と第２ケース部５０とを連結する連結部８０をさらに含む。連結部８０の構成は任意に選択できる。一例では、連結部８０は第１連結部８１および第２連結部８２により構成される。第１連結部８１は第１ケース部２０の一方の第１長手壁４１に形成された凹部８１Ａ、および、凹部８１Ａの内面から突出する突起８１Ｂを含む。第２連結部８２は第２ケース部５０の第２主壁６０から突出する突出部８２Ａ、および、突出部８２Ａを貫通する孔８２Ｂを含む。突出部８２Ａが凹部８１Ａに対して回転できるように突起８１Ｂが孔８２Ｂに挿入される。第１ケース部２０と第２ケース部５０とが連結されているため、トラベルケース１０を容易に管理できる。
【００２８】
図５および図６に示されるように、歯ブラシ１００の大きさを規定する主要な寸法は、長さＬＢ、幅ＷＢ、および、厚さＨＢである。これらの寸法の規定の仕方は任意に選択できる。一例では次のように各寸法が規定される。長さＬＢは歯ブラシ１００の長手方向における最も長い部分の寸法である。図示される例では、長さＬＢはヘッド１２０の先端とグリップ１１０の先端との距離である。幅ＷＢは歯ブラシ１００の短手方向における最も広い部分の寸法である。図示される例では、幅ＷＢはグリップ１１０における最大の幅である。厚さＨＢは歯ブラシ１００における最も厚い部分の寸法である。図示される例では、厚さＨＢはグリップ１１０における最大の厚さである。歯ブラシ１００が大人用である場合の長さＬＢの最大値の好ましい例は２００ｍｍである。歯ブラシ１００が子供用である場合の長さＬＢの最大値の好ましい例は１６０ｍｍである。歯ブラシ１００が大人用である場合の長さＬＢの最小値の好ましい例は１６０ｍｍである。歯ブラシ１００が子供用である場合の長さＬＢの最小値の好ましい例は１３０ｍｍである。歯ブラシ１００が大人用または子供用である場合の幅ＷＢの最大値の好ましい例は１８ｍｍである。歯ブラシ１００が大人用または子供用である場合の幅ＷＢの最小値の好ましい例は１２ｍｍである。歯ブラシ１００が大人用または子供用である場合の厚さＨＢの最大値の好ましい例は１６ｍｍである。歯ブラシ１００が大人用または子供用である場合の厚さＨＢの最小値の好ましい例は６ｍｍである。歯ブラシ１００のグリップ１１０、ヘッド１２０、および、ネック１４０の厚さ方向に沿う断面形状は任意に選択できる。一例ではこれらの断面形状は扁平形状、円柱形状、円柱形状に類似する形状、または、多角注形状である。
【００２９】
図７に示されるように、歯磨きチューブ２００の大きさを規定する主要な寸法は長さＬＣ、幅ＷＣ、および、厚さＨＣである。これらの寸法の規定の仕方は任意に選択できる。一例では次のように各寸法が規定される。長さＬＣは歯磨きチューブ２００の長手方向における最も長い部分の寸法である。幅ＷＣは歯磨きチューブ２００の短手方向における最も広い部分の寸法である。図示される例では、幅ＷＣは尻２３０の最大の幅である。厚さＨＣは歯磨きチューブ２００における最も厚い部分の寸法である。図示される例では、厚さＨＣは肩２１０の外径である。長さＬＣの最大値の好ましい例は１４０ｍｍである。長さＬＣの最小値の好ましい例は１００ｍｍである。幅ＷＣの最大値の好ましい例は３５．２６ｍｍである。幅ＷＣの最小値の好ましい例は２５．８４ｍｍである。厚さＨＣの最大値の好ましい例は２２ｍｍである。厚さＨＣの最小値の好ましい例は１６ｍｍである。
【００３０】
図１に示されるようにトラベルケース１０の大きさを規定する主要な寸法は長手方向の寸法ＬＡ、短手方向の寸法ＷＡ、厚さＨＡ(図９参照)、および、肉厚ＴＡ(図９参照)である。好ましい例では、これらの寸法は歯ブラシ１００および歯磨きチューブ２００をトラベルケース１０に出し入れするときの作業性、および、トラベルケースセット１の携帯性等を考慮して設定される。長手方向の寸法ＬＡはトラベルケース１０の長手方向における一方の短手壁４２、７２と他方の短手壁４２、７２(図２参照)との間の距離である。短手方向の寸法ＷＡはトラベルケース１０における一方の長手壁４１、７１と他方の長手壁４１、７１(図２参照)との間の距離である。厚さＨＡはトラベルケース１０の厚さ方向における湾曲部３０Ａと湾曲部６０Ａとの間隔が最も広い部分の寸法である。肉厚ＴＡは各湾曲部３０Ａ、６０Ａの厚さである。
【００３１】
歯ブラシ１００および歯磨きチューブ２００の各寸法が上記のとおり例示された最大値および最小値により規定される範囲に含まれる場合、トラベルケース１０の各寸法は例えば次のように設定される。
【００３２】
長手方向の寸法ＬＡの最大値の好ましい例は２１０ｍｍである。寸法ＬＡの最大値のより好ましい例は２００ｍｍである。寸法ＬＡの最小値の好ましい例は１７０ｍｍである。寸法ＬＡの最小値のより好ましい例は１８０ｍｍである。寸法ＬＡに関する好ましい範囲の一例は１７０ｍｍ〜２１０ｍｍである。寸法ＬＡに関するより好ましい範囲の一例は１８０ｍｍ〜２００ｍｍである。好ましい寸法ＬＡの一例は１８４ｍｍである。
【００３３】
寸法ＷＡの最大値の好ましい例は４６ｍｍである。寸法ＷＡの最大値のより好ましい例は４５ｍｍである。寸法ＷＡの最小値の好ましい例は２８ｍｍである。寸法ＷＡの最小値のより好ましい例は３５ｍｍである。寸法ＷＡに関する好ましい範囲の一例は２８ｍｍ〜４６ｍｍである。寸法ＷＡに関するより好ましい範囲の一例は３５ｍｍ〜４５ｍｍである。好ましい寸法ＷＡの一例は４０ｍｍである。
【００３４】
厚さＨＡの最大値の好ましい例は３２ｍｍである。厚さＨＡの最大値のより好ましい例は３０ｍｍである。厚さＨＡの最小値の好ましい例は１８ｍｍである。厚さＨＡの最小値のより好ましい例は２０ｍｍである。厚さＨＡに関する好ましい範囲の一例は１８ｍｍ〜３２ｍｍである。厚さＨＡに関するより好ましい範囲の一例は２０ｍｍ〜３０ｍｍである。好ましい厚さＨＡの一例は２６ｍｍである。
【００３５】
肉厚ＴＡの最大値の好ましい例は２ｍｍである。肉厚ＴＡの最小値の好ましい例は１ｍｍである。肉厚ＴＡに関する好ましい範囲の一例は１ｍｍ〜２ｍｍである。好ましい肉厚ＴＡの一例は１．５ｍｍである。
【００３６】
歯ブラシ１００および歯磨きチューブ２００は例えば次のような手順でトラベルケース１０に収容される。第１手順では、図８に示されるように開放状態のトラベルケース１０の第１ケース部２０に歯ブラシ１００が配置される。具体的には、歯ブラシ１００がトラベルケース１０の短手方向において第１胴規制部３１および第１長手規制部３２よりも連結部８０寄りの部分に配置される。第２手順では、図２に示されるように歯磨きチューブ２００の胴２２０が歯ブラシ１００のグリップ１１０に積み重ねられた積層状態となるように歯磨きチューブ２００が第１ケース部２０に配置される。積層状態とは歯磨きチューブ２００が各胴規制部３１、６１により押えられた場合に歯磨きチューブ２００が第１ケース部２０との間で歯ブラシ１００の一部を挟み込んだ状態である。挟み込んだ状態とはトラベルケースセット１が持ち運ばれる場合に歯磨きチューブ２００と歯ブラシ１００との間の摩擦力、および、第１ケース部２０と歯ブラシ１００との間の摩擦力により、歯ブラシ１００がトラベルケース１０内で実質的に移動しない状態である。第３手順では、図１に示されるようにトラベルケース１０の状態が収容状態となるように第２ケース部５０が第１ケース部２０に結合される。
【００３７】
トラベルケース１０によれば、次のような作用および効果が得られる。図９に示されるように、トラベルケース１０の収容状態では歯磨きチューブ２００の肩２１０が各主壁３０、６０に挟み込まれている。このため、肩２１０と第１主壁３０との接触面３０Ｃ、および、肩２１０と第２主壁６０との接触面６０Ｃに強い摩擦力が生じる。以下では、これらの摩擦力を総称して「第１摩擦力」と称する。第１摩擦力は歯磨きチューブ２００の肩２１０が各主壁３０、６０に挟み込まれることなくトラベルケース１０内に収容された状態において、トラベルケース１０と肩２１０との接触面に生じる弱い摩擦力よりも強い摩擦力である。第１摩擦力が生じる状態では、トラベルケースセット１の持ち運び等にともないトラベルケースセット１に力が加えられた場合でも歯磨きチューブ２００がトラベルケース１０に対して移動しにくく、歯磨きチューブ２００の移動に起因する音が生じにくい。
【００３８】
第１摩擦力の強さは種々の因子の影響を受ける。第１摩擦力に影響を及ぼす主な因子としては第１ケース部２０の材質、第２ケース部５０の材質、歯磨きチューブ２００の材質、第１主壁３０の曲率半径ＲＡ、および、第２主壁６０の曲率半径ＲＢが挙げられる。各材質が他の条件との関係により決められている場合、各曲率半径ＲＡ、ＲＢを調節することにより第１摩擦力の強さを任意に調節できる。各曲率半径ＲＡ、ＲＢは個別に選択できる。図示される例では各曲率半径ＲＡ、ＲＢが同じ寸法に設定されている。各曲率半径ＲＡ、ＲＢの最大値の好ましい例は４００ｍｍである。各曲率半径ＲＡ、ＲＢの最大値のより好ましい例は１００ｍｍである。各曲率半径ＲＡ、ＲＢの最小値の好ましい例は１５．５６ｍｍである。各曲率半径ＲＡ、ＲＢの最小値のより好ましい例は２０ｍｍである。各曲率半径ＲＡ、ＲＢに関する好ましい範囲の一例は、２０ｍｍ〜４００ｍｍである。各曲率半径ＲＡ、ＲＢに関するより好ましい範囲の一例は１５．５６ｍｍ〜１００ｍｍである。好ましい各曲率半径ＲＡ、ＲＢの一例は２９ｍｍである。
【００３９】
図１０に示されるように、トラベルケース１０の収容状態では、第２胴規制部６１が歯磨きチューブ２００の胴２２０を第１ケース部２０部側に押し、歯磨きチューブ２００が歯ブラシ１００を第１ケース部２０側に押す。すなわち、歯ブラシ１００および歯磨きチューブ２００の積層部分が第１主壁３０と第２主壁６０とに挟み込まれている。このため、第２胴規制部６１と歯磨きチューブ２００との接触面６１Ａ、歯磨きチューブ２００と歯ブラシ１００との接触面２００Ａ、および、歯ブラシ１００と第１主壁３０との接触面１００Ａに強い摩擦力が生じる。以下では、これらの摩擦力を総称して「第２摩擦力」と称する。第２摩擦力は、歯ブラシ１００および歯磨きチューブ２００が各主壁３０、６０に挟み込まれることなくトラベルケース１０内に収容された状態において、歯ブラシ１００および歯磨きチューブ２００のそれぞれとトラベルケース１０との接触面に生じる弱い摩擦力よりも強い摩擦力である。第２摩擦力が生じる状態では、トラベルケースセット１の持ち運び時に歯ブラシ１００および歯磨きチューブ２００がトラベルケース１０に対して一層移動しにくい。
【００４０】
第２摩擦力の強さは種々の因子の影響を受ける。第２摩擦力に影響を及ぼす主な因子としては第１ケース部２０の材質、第２ケース部５０の材質、歯ブラシ１００の材質、歯磨きチューブ２００の材質、および、第２胴規制部６１の突出量が挙げられる。第２胴規制部６１の突出量は第２胴規制部６１の根元から第２胴規制部６１の先端までの距離である。各材質が他の条件との関係により決められている場合、第２胴規制部６１の突出量を調節することにより第２摩擦力の強さを任意に調節できる。
【００４１】
トラベルケース１０によればさらに次のような効果が得られる。歯磨きチューブ２００の肩２１０を保持するための保持構造９０が各主壁３０、６０により構成されているため、第１主壁３０の内周面３０Ｄ、および、第２主壁６０の内周面６０Ｄから収容空間１０Ａ側に突出する部分が少なくなる。このため、収容空間１０Ａにおける通気性が高められ、歯ブラシ１００および歯磨きチューブ２００の乾燥に要する時間が短縮される。また、歯磨きチューブ２００の胴２２０を保持するための保持構造９０が、柱状の各胴規制部３１、６１により構成されているため、保持構造９０が収容空間１０Ａにおける通気性を阻害しにくい。このため、歯ブラシ１００および歯磨きチューブ２００の乾燥に要する時間がより短縮される。また、各ケース部２０、５０の各主壁３０、６０および外周壁４０、７０のそれぞれに通気口３０Ｂ、６０Ｂ、４１Ａ、４２Ａ、７１Ａ、７２Ａが形成されているため、歯ブラシ１００および歯磨きチューブ２００の乾燥に要する時間がより短縮される。
【００４２】
(変形例)
上記実施形態は本発明に関するトラベルケースおよびトラベルケースセットが取り得る形態の例示であり、その形態を制限することを意図していない。本発明に関するトラベルケースおよびトラベルケースセットは実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。以下の変形例のうち技術的に矛盾しない複数の変形例は組み合わせ可能である。
【００４３】
・トラベルケース１０の形状は任意に変更可能である。トラベルケース１０の第１変形例では、図１１に示されるように第１ケース部２０の湾曲部３０Ａの曲率半径ＲＡと第２ケース部５０の湾曲部６０Ａの曲率半径ＲＢとが異なる。トラベルケース１０の第２変形例では、図１２に示されるようにトラベルケース１０の中心軸Ｃに対する湾曲部３０Ａの頂点３０Ｘの位置と湾曲部６０Ａの頂点６０Ｘの位置とが異なる。トラベルケース１０の第３変形例では、図１３に示されるように第１ケース部２０の第１主壁３０に平坦部３０Ｚが形成され、第２ケース部５０の第２主壁６０に平坦部６０Ｚが形成される。一方の平坦部３０Ｚ、６０Ｚが平坦な面に載せられた場合、トラベルケース１０の姿勢が一層安定する。
【００４４】
・トラベルケース１０内における歯磨きチューブ２００の配置の仕方は実施形態に例示された内容に限定されない。一例では、歯磨きチューブ２００の尻２３０が歯ブラシ１００のヘッド１２０側に位置し、キャップ２４０が歯ブラシ１００のグリップ１１０の端部側に位置するように歯磨きチューブ２００が配置される。
【００４５】
・第１ケース部２０と第２ケース部５０とを結合するための構造は任意に変更可能である。第１例では、トラベルケース１０は実施形態に例示された連結部８０が各ケース部２０、５０から省略された構造を備える。この例では、各ケース部２０、５０は次のように結合される。実施形態と同様に各ケース部２０、５０の一方に歯ブラシ１００および歯磨きチューブ２００が配置された状態で、第１ケース部２０の開口２０Ａと第２ケース部５０の開口５０Ａとが閉じられるように各ケース部２０、５０が組み合わせられる。次に、各ケース部２０、５０が分離しないように各ケース部２０、５０にバンドが巻き掛けられ、各ケース部２０、５０が連結される。第２例では、第１ケース部２０と第２ケース部５０とが分離できないように連結部８０が構成される。その一例はリビングヒンジである。この例では、第１ケース部２０、第２ケース部５０、および、連結部８０が一体成形される。
【００４６】
・第１胴規制部３１の形状は任意に変更可能である。第１例では、第１胴規制部３１は第１主壁３０から第２主壁６０に向けて突出した壁である。壁はトラベルケース１０の長手方向、短手方向、または、これらの成分を含む方向に延びるように構成される。なお、第２胴規制部６１も同様に変更可能である。
【００４７】
・実施形態の保持構造９０は各主壁３０、６０の内周面３０Ｄ、６０Ｄにより歯磨きチューブ２００の肩２１０を保持できるように構成されているが、歯磨きチューブ２００の肩２１０を保持するための構成はこれに限られない。一例では、保持構造９０は各主壁３０、６０の内周面３０Ｄ、６０Ｄの一方または両方を歯磨きチューブ２００の肩２１０の保持に直接的に利用せず、各主壁３０、６０の内周面３０Ｄ、６０Ｄの少なくとも一方に設けられた保持部(図示略)により歯磨きチューブ２００の肩２１０を保持する。保持部を含む保持構造９０は例えば次のような形態を取り得る。第１例では、保持構造９０は第１主壁３０に設けられた保持部、および、第２主壁６０により構成される。保持部は第１主壁３０の内周面３０Ｄから第２主壁６０に向けて突出した突起または壁である。保持部は第２主壁６０との間で歯磨きチューブ２００の肩２１０を挟み込むことができるように構成される。第２例では、保持構造９０は第２主壁６０に設けられた保持部、および、第１主壁３０により構成される。保持部の構造は第１例における保持部の構造と同様である。第３例では、保持構造９０は第１例の保持部および第２例の保持部により構成される。保持構造９０に保持部が含まれる場合、保持部を形成できるようにトラベルケース１０の厚さ方向における第１主壁３０の内周面３０Ｄと第２主壁６０の内周面６０Ｄとの間隔が実施形態のトラベルケース１０よりも広げられる。好ましい例では、保持部における歯磨きチューブ２００の肩２１０との接触部は歯磨きチューブ２００の肩２１０の形状に合うように湾曲した形状である。
【００４８】
・実施形態の保持構造９０は歯ブラシ１００および歯磨きチューブ２００を直接的に保持するように構成されているが、保持構造９０が直接的に保持する対象はこれに限られない。一例では、保持構造９０は歯ブラシ１００および歯磨きチューブ２００の一方を直接的に保持する。この保持構造９０は例えば次のような形態を取り得る。第１例では、保持構造９０はトラベルケース１０内に収容された歯磨きチューブ２００の位置が安定するように歯磨きチューブ２００を保持する。この保持構造９０は第１主壁３０および第２主壁６０により構成され、各胴規制部３１、６１を含まない。各胴規制部３１、６１はトラベルケース１０から省略される、または、歯磨きチューブ２００の胴２２０の保持とは別の機能を持つように構成される。第２例では、保持構造９０はトラベルケース１０内に収容された歯ブラシ１００の位置が安定するように歯ブラシ１００を保持する。保持構造９０は第１胴規制部３１および第２胴規制部６１により構成され、各主壁３０、６０を含まない。各ケース部２０、５０はトラベルケース１０の収容状態において歯磨きチューブ２００の肩２１０と各主壁３０、６０の一方との間に空間が形成されるように構成される。
【符号の説明】
【００４９】
１    ：トラベルケースセット
１０  ：トラベルケース
１０Ａ：収容空間
２０  ：第１ケース部
３０  ：第１主壁
３１  ：第１胴規制部
３２  ：第１長手規制部
４０  ：第１外周壁
４１  ：第１長手壁
５０  ：第２ケース部
６０  ：第２主壁
６１  ：第２胴規制部
９０  ：保持構造
１００：歯ブラシ
２００：歯磨きチューブ
２１０：肩
２３０：尻
【図１】
2019010521.tif 000003
【図２】
2019010521.tif 000004
【図３】
2019010521.tif 000005
【図４】
2019010521.tif 000006
【図５】
2019010521.tif 000007
【図６】
2019010521.tif 000008
【図７】
2019010521.tif 000009
【図８】
2019010521.tif 000010
【図９】
2019010521.tif 000011
【図１０】
2019010521.tif 000012
【図１１】
2019010521.tif 000013
【図１２】
2019010521.tif 000014
【図１３】
2019010521.tif 000015